(57)【特許請求の範囲】
【請求項１】
装置ケーシング（１２）と該装置ケーシング（１２）に着脱可能なアダプタプラグ（１４）とを備え、電気器具に電流を供給する装置であって、
前記アダプタプラグ（１４）は、
電気ソケットのピン受け入れ開口に挿入される電気的コネクタピン（３０）と、
前記電気的コネクタピン（３０）の挿入方向に略平行な第１の平面（４６）を有するアダプタプラグケーシング（２８）と、
前記アダプタプラグケーシング（２８）が有する第１の平面（４６）上に配され、該第１の平面（４６）に略直交する方向に突出しており、前記電気的コネクタピン（３０）と接続されたアダプタプラグコネクタ（２４）と、を備え、
前記装置ケーシング（１２）は、
電子的電流供給要素を内部に有し、
前記アダプタプラグコネクタ（２４）と結合される第１電気コネクタ（２０）と、
前記第１電気コネクタ（２０）が配された第２の平面（４４）と、
第２電気コネクタ（２２）と、を備え、
前記アダプタプラグコネクタ（２４）と前記第１電気コネクタ（２０）とが結合した状態において、前記第２の平面は、その端部が前記第１の平面（４６）と接するように構成されており、
前記装置ケーシング（１２）が前記第１の平面と略平行な方向に引っ張られた場合に、前記装置ケーシング（１２）が前記第２の平面の端部と前記第１の平面（４６）との接点（５０）を支点として回動することにより、前記第１電気コネクタ（２０）が前記アダプタプラグコネクタ（２４）から外れるように構成されていることを特徴とする装置。
【請求項２】
前記第２の平面（４４）の端部は、前記電気的コネクタピン（３０）の挿入方向の上流側の端部であり、
前記装置ケーシング（１２）は、前記第２電気コネクタにおいて、前記電気的コネクタピン（３０）の挿入方向と略平行な方向に引っ張られることを特徴とする請求項１に記載された装置。
【請求項３】
前記装置ケーシングと前記アダプタプラグとが、前記第１電気コネクタと前記アダプタプラグコネクタとによってのみ接続されることを特徴とする請求項１または２に記載された装置。
【請求項４】
前記装置ケーシングと前記アダプタプラグとは、前記アダプタプラグコネクタのスリーブと前記第１電気コネクタのピンとの間の摩擦のみによって、保持されることを特徴とする請求項３に記載された装置。
【請求項５】
前記第２電気コネクタ（２２）は、前記第２の平面（４４）とは反対側に位置する第３の平面上に配されていることを特徴とする請求項１に記載された装置。
【請求項６】
電気器具に動力を供給するための可撓性コード（２６）が、前記第２電気コネクタ（２２）に接続されることを特徴とする請求項１に記載された装置。
【請求項７】
前記装置は動力供給装置であることを特徴とする請求項６に記載された装置。
【請求項８】
前記装置は電池充電器であることを特徴とする請求項７に記載された装置。
【請求項９】
前記装置は携帯用無線通信装置またはパソコン装置に接続されることを特徴とする請求項７または請求項８に記載された装置。
【発明の詳細な説明】
【０００１】
（技術分野）
本発明は、電気器具に電流を供給するための装置に関する。とくに本発明は、その損傷と人体の危害に対する危険を最小にするであろうプラグの構造に関するものである。
【０００２】
（発明の背景）
異なったプラグの構造が、電気供給装置と電池充電器の製造に問題を提起してきた。多くの電気的装置が世界中で使用するため販売されてきたが、電気プラグの構造、大きさ、形状、ピンの位置または数に対する世界的基準は存在しない。プラグの多様性はまた、世界の異なった地域に旅行する人々にとって重大な課題であり、それら、とくに電話機やコンピュータのような装置に関連する電気的装置を携行しなければならない。機械的構造の問題に対する従来の解決法は、その地域用のソケットまたはコンセントの構造の上に、第２のピンのセットと一体の変圧器または電池充電器のような、電気的装置のピンに適合するソケットを含む交換可能なアダプタプラグを備えることである。
【０００３】
米国特許第５５４０５９６号明細書には、電気器具とくに携帯用器具に電流を供給するための装置が記載されている。該装置は、電流を供給する電気的および電子的要素を内蔵する、電気プラグを設けられたプラグハウジングを有する。種々の電気ソケットの構造を備えた装置の使用を簡単化するため、プラグハウジングに分離可能に取付けうる、いくつかの交換可能なアダプタプラグが設けられている。各アダプタプラグは、種々な国で使用される電気ソケットの構造に従って構成されかつ配置された、コネクタピンを有する。アダプタハウジングは、コネクタピンに電気的に接続されるコネクタばねを有し、コネクタはプラグハウジングによって支持される電流供給コネクタ表面に対応する。プラグハウジングは、その中に電子回路板のタングが突入し、その上にコネクタ面が形成される凹所を有する。アダプタハウジングは、組立てられるときコネクタばねが回路板のコネクタ表面に係合するように凹所内に嵌合する。アダプタハウジングとプラグハウジングとによって形成される解放可能なスナップ−オン・ロックは、両者を互いに固定する。装置が使用中でないとき、ふたがそれを損傷と汚染から保護するため凹所上に分離可能に設置される。
【０００４】
交流（ＡＣ）がコンセントから電気的装置、例えば電池充電器に供給される。交流は人や動物に傷害を与え、したがって電気的装置を、もし装置が誤って使用されてもそれ程大きい電流が発生しないように、設計することが必要である。
【０００５】
携帯用電話機のような電気器具用充電器において１１０〜２２０ボルト（Ｖ）のＡＣ電流が２〜８ボルトの直流（ＤＣ）に変換される。ＤＣ電流は充電器から可撓性コードまたはケーブルを通って接続された器具に伝導される。この可撓性コードは引張りと曲げに耐えなければならない。したがって、コード入力や固定に対して歪み逃がし用手段を備える必要がある。しかしながら、もしコードがコンセントに適用されるときそれが大きい力で引張られるならば、この引張り力は充電器、そのピンまたコンセントにおいて大きいレベルの力およびモーメントに上昇するであろう。充電器はレバーアームとして作用する。現在公知の動力供給装置や交換可能なアダプタプラグを有する電池充電器は、細長い孔、溝そしてプラスチックスナップによって固定される。プラグは、充電器または動力供給装置のハウジングに対していかなる撓みもなしに固定される。コードからの力の全体的作用は充電器または動力供給装置によって伝達され、力が十分に大きいときとくにアダプタプラグ、ピンそしてコンセントを損傷し、誤作動させる。一つの例として、プラグのピンの一つが破損し、コンセントに残されるかもしれない。使用者がまず電気を切らないでコンセントから破損したピンを取出そうとしてひどく怪我をする事故があった。
【０００６】
（発明の開示）
解決されるべき一つの課題は、装置が直接ＡＣコンセントに着座し、装置が非対称力または負荷にさらされるとき、交換可能なモジュラプラグを有する電力供給装置の異なった部分において発生する力と歪みとを減少することである。
【０００７】
解決されるべき別の課題は、電力供給装置たとえば、装置ケーシングと交換可能なモジュラプラグとを有し、前記プラグがロツク、掛け金、溝、スナップまたはふたのような固定装置によって前記装置ケーシングに組立てられることのない、動力供給装置または充電装置を設計する方法にある。
【０００８】
本発明の一つの目的は、プラグがＡＣコンセントに直接着座し、装置が非対称力または負荷にさらされるとき、装置の異なった部分において発生する力と歪みとを減少することである。
【０００９】
別の目的は、交換可能なモジュラプラグを有し前記装置ケーシングとフラグとがいかなる凹所、導管、溝またはふたも有しない動力供給装置または充電装置を設計することにある。
【００１０】
本発明のまさに別の目的は、ケーシングの火災、死そして重傷を生ずる事故に対する安全性を増大することにある。
【００１１】
前記課題は、前記装置ケーシングをアダプタプラグから離すための、装置ケーシング上の必要な力を制限するモーメント装置を備えたアダプタプラグを有する装置を設けることによって解決される。
【００１２】
さらに詳細に言えば、モーメント装置は装置ケーシングが、前記装置ケーシングに作用する引張り力の方向に係わらず、交換可能なアダプタプラグから離れるのを助ける。
【００１３】
公知技術を超える利点の一つは、本発明が供給装置に作用する大きい力と負荷とによる誤作動に対する危険を最小にすることである。装置ケーシングが依然としてコンセントに着座しているアダプタプラグから離された後、そこには見えるまたは接触しうる電流伝導部分は存在しないであろう。
【００１４】
動力供給装置を製造するための費用は、凹所、導管、溝、ロック、掛け金またはふたのような細部を廃止することによって減少するであろう。コードと装置ケーシングとの間の接続部を固定するため使用されるコードの歪み逃がしも廃止することができる。
【００１５】
本発明は、その好適な実施例を参照してまた添付図面も参照して、一層詳細に説明されるであろう。
【００１６】
（好適な実施例の詳細な説明）
図１ａは、電気器具に電流を供給するための従来技術の電力供給装置１０の側面図を示す。前記装置１０は、装置ケーシング１２と交換可能なアダプタプラグ１４とを含み、アダプタプラグ１４は、プラグカバー１６と掛け金１８とによって装置ケーシング１２に接続されかつ強固に一緒に固定されている。装置ケーシング１２は電流供給電子要素をカバーしかつ保護している。第１電気コネクタ２０と第２電気コネクタ２２とが該要素に電気的に接続されている。コネクタ２０と２２とは回路板上に取付けられ、前記ケーシング１２を通って突出している。アダプタプラグコネクタ２４は、前記第１電気コネクタ２０に着脱可能である。可撓性コード２６はコードコネクタ３４を有し、コードコネクタ３４は第２電気コネクタ２２に接続され、（図示されない）電気器具に電力を伝導する。コード２６は、コードコネクタ３４と第２電気コネクタ２２への損傷の危険を減少するため歪み逃がし３２を有する。
【００１７】
図１ｂは、従来技術のアダプタプラグのみを示す。前記プラグは、アダプタプラグケーシング２８と、電気コネクタピン３０と、ロック装置（スナップ装置）１８と、アダプタプラグコネクタ２４とを備えている。アダプタプラグコネクタ２４は、電気コネクタピン３０の方向に対してほぼ直角に配置されている。
【００１８】
図１ｃは、壁取付け電気ソケット４２内に差込まれる従来技術の電力供給装置１０の側面図を示す。可撓性コード２６は、第２電気コネクタ２２が設置される装置の上端を引張って壁４０から離す力にさらされる。アダプタプラグ１４は多かれ少なかれ壁４０のソケット４２にロックされ、装置ケーシング１２はアダプタプラグ１４にロックされる。装置ケーシング１２はレバーアームとして作用するであろう。もし損傷力が具合の悪い方向を有し、プラグ１４がソケット４２から外れないならば、プラグは破損するであろう。このことは、危険な電力を有する伝導部品が見えるようになり、そして人に触れるようになるかもしれない。動力供給装置の他の部品、たとえば第２電気コネクタ、要素、鑞付け部分または装置のケーシングも破損するかもしれない。壁４０とソケット４２とは破線によって図示されている。
【００１９】
図２は、電気器具に電流を供給するための本発明装置実施例の異なった部分を示す。装置は、装置ケーシング１２と交換可能なアダプタプラグ１４とを含み、アダプタプラグ１４はコネクタ装置２０，２４を結合することによって、いかなるロックまたはスナップ装置もなしに、一つの作動ユニット１０に接続されている。
【００２０】
装置ケーシング１２は電流供給電子要素をカバーしかつ保護している。電子要素は、該要素に結合されかつ前記ケーシングによって支持される、第１、第２電気コネクタを有する印刷回路板上に配置されている。第１電気コネクタは、装置ケーシング１２によって保護されるピン２０を有する。動力を器具に供給するための可撓性コード２６は、前記第２コネクタ２２に接続されている。コードと前記コネクタとの間に取付けられる歪み逃がしに対する必要性はない。
【００２１】
装置ケーシング１２とアダプタプラグ１４との間のモーメント装置５０は、前記装置ケーシングに作用する引張り力の方向に係わらず、装置ケーシング１２を交換可能なアダプタプラグ１４から離すように支持するであろう。
【００２２】
図３は、装置ケーシング１２から離される、本発明の交換可能なアダプタプラグ１４実施例の側面図である。このモジュラプラグ１４は、アダプタプラグケーシング２８と、電気コネクタピン３０と、アダプタプラグコネクタ２４とを有する。前記コネクタ２４は、装置ケーシング１２の前記第１電気コネクタ２０に対して着脱可能で、電気コネクタピン３０に対してほぼ直角にアダプタプラグケーシング２８から突出している。前記ピン３０は、アダプタプラグコネクタ２４に伝導部分によってプラグケーシング２８内に作動的に接続されている。しばしばプロングと称せられるこれらのピンは、大きさ、形状そして異なったプラグ間の配置において相違する。一人のユーザは、その人が充電または動力供給のために使用しようとする電気ソケットまたはコンセントのピンうけ入れ開口に適したアダプタプラグを選択する。
【００２３】
装置ケーシング１２と交換可能なアダプタプラグ１４とは、第１電気コネクタ２０とアダプタプラグコネクタ２４とによってだけ接続される。第１電気コネクタ２０は、カバーによって保護される導電性スリーブ装置を備えている。このカバーは、ケーシングの残りの部分より一層可撓性の材料で製造可能である。第１電気コネクタ２０は、装置ケーシング１２とアダプタプラグ１４との組立ての間にスリーブ内に差込まれる導電性ピンを有する。装置ケーシング１２と交換可能なアダプタプラグ１４とは、アダプタプラグコネクタ２４のスリーブ装置と第１電気コネクタ２０のピンとの間の摩擦によって一緒に保持される。
【００２４】
コネクタを離すのに必要な力の強さは、逃がし力と称せられる。モーメント装置の幅と高さとを変化することによって、逃がし力を制御することができる。前記逃がし力はソケットのスリーブとピンとの間の摩擦に依存する。プラグコネクタとケーシングコネクタとを設計することによって、逃がし力を変更することが可能である。
【００２５】
図４は図３におけるような、本発明の交換可能なアダプタプラグ１４のコネクタ側４６の図である。アダプタプラグ１４は、装置ケーシング１２が、装置ケーシング１２またはコード２６に作用する引張り力の方向に係わりなく、交換可能なアダプタプラグ１４から離れるのを助けるモーメント装置５０を有する。アダプタプラグ１４の設計は、前記装置ケーシング１２をアダプタプラグケーシングから離すための装置ケーシングにおける必要な力を制限する。
【００２６】
モーメント装置５０は、アダプタプラグケーシング２８に取付けられ、装置ケーシングの外端に接触する。モーメント装置とコネクタ側壁４６との間の交差は破線で示されている。
【００２７】
モーメント装置５０のこの実施例は、アダプタプラグコネクタ２４を囲むアダプタプラグケーシング２８に適用される設計された端部である。コネクタ側壁はカップ型に設計され、コネクタ装置はこのモーメント装置５０の内側のどこかに設置することが可能である。
【００２８】
図３と図４のモーメント装置は、装置ケーシングの外側寸法に適合するように設計される。そのことは、前記ケーシングの高さと幅の大きさが同じであることを意味する。しかしながら、このモーメント装置５０の幅と高さは本発明の範囲内で変更可能である。本発明装置の別の実施例において、モーメント装置５０はアダプタプラグケーシング２８に取付けられ、前記側面の外側端部の内側の装置ケーシング１２の第１コネクタ側面４４上のどこかに接触する。
【００２９】
本発明のまさに別の実施例は、モーメント装置５０をアダプタプラグコネクタ側壁４６に接触する装置ケーシング１２の第１コネクタ側面４４に取付けることである。
【００３０】
本発明のまさに別の実施例は、第１モーメント装置５０を装置ケーシング１２の第１コネクタ側面４４と前記第１モーメント装置５０に接触するアダプタプラグコネクタ側面４６上の対応する第２モーメント装置５０とに取付けることである。
【００３１】
装置ケーシングは凹所、導管、溝またはふたを必要としない。それはケーシンの設計をきわめて簡単にする。
【００３２】
図５は、電力を供給される器具に接続されたコード２６が乱暴に引張られるとき、本発明装置がいかに働くかを示している。モーメント装置５０は、ケーシング１２が上昇し引張り力が第１コネクタ２０をアダプタプラグコネクタ２４からいかなる損傷もなしに離すとき、装置ケーシング１２に対する支持体のように作用する。装置ケーシング１２は旋回してモーメント装置５０上に立つ。アダプタプラグ１４は壁ソケット４２内に着座したままであろうが、露出された危険な導体は存在しないであろう。壁４０とソケット４２とは破線で図示されている。
【図面の簡単な説明】
【図１ａ】  電気器具に電流を供給するための従来技術の電力供給装置の側面図。
【図１ｂ】  従来技術のアダプタプラグのみの図。
【図１ｃ】  装置の反対側端部のＤＣコードがきわめて乱暴に引張られたときの、壁に取付けられた電気ソケット内に差込まれた従来技術の電力供給装置の側面図。
【図２】  本発明装置の実施例の側面図。
【図３】  装置ケーシングから離された本発明アダプタラグ実施例の側面図。
【図４】  図３と同様の同じ本発明実施例のコネクタ側面の図。
【図５】  電力を供給される器具に接続されたコートが乱暴に引張られたときに、本発明装置がどのように働くかを示す図。
【図１ａ】
0004361694.tif 000002
【図１ｂ】
0004361694.tif 000003
【図１ｃ】
0004361694.tif 000004
【図２】
0004361694.tif 000005
【図３】
0004361694.tif 000006
【図４】
0004361694.tif 000007
【図５】
0004361694.tif 000008